(57)【要約】【課題】単一の器具（ハンドピース）によって注水と吸引排水とを同時に行うことができるようにして、つまり、一人で注水と吸引排水を行うことができるようにして、手術に要する人員を減らして手術作業をしやすくするとともに、注水・吸引排水を効果的にできるようにして、作業能率の向上を図ったものである。【解決手段】注水管１１と外気連通孔１２ｂを有する吸引排水管１２とを一体的に有し、注水管１１を注水ボトル４０に接続し、吸引排水管１２を吸気装置に接続し、コック１１ｂを開いて前記注水管の先端１１ａより注水し、前記外気連通孔１２ｂの開口度を調節して前記吸引排水管１２の先端１２ａよりの吸水量を調整する。【選択図】図１
2005198696.tif 000002
【特許請求の範囲】
【請求項１】
注水管と外気連通孔を有する吸引管とを一体的に有し、注水管を注水ボトルに接続し、吸引管を吸気装置に接続し、前記注水管の先端より注水し、前記外気連通孔の開口度を調節して前記吸引管の先端よりの吸水量を調整するようにしたことを特徴とする注水吸引装置。
【請求項２】
前記吸引管の先端は前記注水管の先端より前方に突出していることを特徴とする請求項１に記載の注水吸引装置。
【請求項３】
前記吸引管は、前記外気連通孔より前方に連結部を有し、該連結部にて径の異なる複数種の吸引先端管を交換可能に連結し得るようにしたことを特徴とする請求項１又は２に記載の注水吸引装置。
【請求項４】
前記注水ボトルは、高所に吊り下げられ、そのヘッド圧（落差圧）によって前記注水が行なわれるものであることを特徴とする請求項１乃至３のいずれかに記載の注水吸引装置。
【請求項５】
前記注水管はコックを有し、該コックの開度を調整して注水量を調整するようにしたことを特徴とする請求項４に記載の注水吸引装置。
【請求項６】
前記注水ボトルは、送水装置に連結され、該送水装置により前記注水が行なわれるようにしたことを特徴とする請求項１乃至３のいずれかに記載の注水吸引装置。
【発明の詳細な説明】
【技術分野】
【０００１】
本発明は、動物や人間の手術時に、手術部に生理食塩水等の注水と、注水した生理食塩水等を排出させるための吸引を単一のハンドピースで同時に行えるようにした注水吸引装置に関する。
【背景技術】
【０００２】
動物や人間の手術を行う時に、手術部に生理食塩水を注入しながら行うが、同時に、注入した生理食塩水や手術によって出血した血液を吸引排出することも行われている。
【０００３】
しかし、従来装置においては、注水と吸引とが全て別個の装置で行われており、例えば、注水しながら吸引排水する等の作業を一人で行うことはできなかった。
【発明の開示】
【発明が解決しようとする課題】
【０００４】
本発明は、上述のごとき実情に鑑みてなされたもので、特に、単一の器具（ハンドピース）によって注水と吸引排水とを同時に行うことができるようにして、つまり、一人で注水と吸引排水を行うことができるようにして、手術に要する人員を減らして（手術まわりの人を減らして）手術作業をしやすくするとともに、注水・吸引排水を効果的にできるようにして、作業能率の向上を図ったものである。
【課題を解決するための手段】
【０００５】
請求項１の発明は、注水管と外気連通孔を有する吸引管とを一体的に有し、注水管を注水ボトルに接続し、吸引管を吸気装置に接続し、前記注水管の先端より注水し、前記外気連通孔の開口度を調節して前記吸引管の先端よりの吸水量を調整するようにしたことを特徴としたものである。
【０００６】
請求項２の発明は、請求項１の発明において、前記吸引管の先端は前記注水管の先端より前方に突出していることを特徴としたものである。
【０００７】
請求項３の発明は、請求項１又は２の発明において、前記吸引管は、前記外気連通孔より前方に連結部を有し、該連結部にて径の異なる複数種の吸引先端管を交換可能に連結し得るようにしたことを特徴としたものである。
【０００８】
請求項４の発明は、請求項１乃至３のいずれかの発明において、前記注水ボトルは、高所に吊り下げられ、そのヘッド圧（落差圧）によって前記注水が行なわれるものであることを特徴としたものである。
【０００９】
請求項５の発明は、請求項４の発明において、前記注水管はコックを有し、該コックの開度を調整して注水量を調整するようにしたことを特徴としたものである。
【００１０】
請求項６の発明は、請求項１乃至３のいずれかの発明において、前記注水ボトルは、送水装置に連結され、該送水装置により前記注水が行なわれるようにしたことを特徴としたものである。
【発明の効果】
【００１１】
本発明によると、単一の器具（ハンドピース）によって注水と吸引排水とを同時に行うことができ、つまり、一人で注水と吸引排水を行うことができるので、手術に要する人員を減らすことができ、従って、手術まわりの人員が少なくてすみ、手術作業がしやすくなり、作業能率を向上させることができる。
【発明を実施するための最良の形態】
【００１２】
図１は、本発明による注水吸引装置の一実施形態を説明するための概略図で、図中、１０は本発明による注水吸引装置（ハンドピース）で、該注水吸引装置１０は、手術部に生理食塩水を注水するための注水管１１と、注水した生理食塩水や手術によって出血した血液等を吸引排出するための吸引排水管１２とからなり、図示のように、吸引排水管１２の上側に注水管１１が一体的に、例えば、溶接によって接合されている。
【００１３】
吸引排水管１２の先端１２ａは、注水管１１の先端１１ａより先方に突出しており、これらによって、吸引排水管１２の先端１２ａを注水管１１の先端１１ａに邪魔されることなく、生体組織に接近させることが容易となり、注水、吸引をより効果的に行うことができる。２１は注水ホース、２２は吸引排水ホース、３０は注水・吸引排水装置で、該注水・吸引排水装置３０内には、生理食塩水等を入れる注水ボトルや吸引した生理食塩水等を溜めるための排水タンク等が収納されており、更には、注水ボトル内の生理食塩水を注水ホース２１に送出するための送水装置（例えば、チューブポンプ）や吸引排水ホース２２内を吸気するための吸引装置（バキュームポンプ）等が収納されている。
【００１４】
図２は、図１に示した注水吸引装置（ハンドピース）１０を注水ホース２１及び吸引排水ホース２２から分離した時の状態を示す図で、吸引排水管１２は、先端側が、例えば、螺合等により分離可能になっており、吸引量に応じて、吸引先端管の管径を変えることができるようになっている。図２に示した例は、１２1，１２2，１２3の管径の異なる３本の吸引先端管を示しており、これらが、生理食塩水の使用量等に応じて適宜選択され、吸引排水管に連結されて使用される。なお、図１には、注水を注水・吸引排水装置３０内の送水装置で行うようにした例を示したが、図１に点線４０にて示すように、通常、点滴等で使用されるように、高い所に吊り下げてヘッド圧（水圧）を利用して注水するようにしてもよい。
【００１５】
１２ｂは、吸引排水管１２の一部に設けられた外気連通用の孔で、この孔１２ｂは吸引排水管１２内の流路に連通しており、通常は、この孔１２ｂが吸引排水管１２内の流路に連通しているため、この孔１２ｂを通して吸気されてしまい、吸引装置（バキューム装置）を駆動しても、吸引排水管１２の先端１２ａからの吸引はなく、この孔１２ｂを塞いだ時に、吸引排水管１２の先端１２ａからの吸引が行われる。この孔１２ｂの塞がり具合によって、吸引力を調整することができる。
【００１６】
また、１１ｂは、注水管１１に設けられたコックで、このコックの開度を調整することができ、これによって、注水量を調整することができる。特に、図１において点線４０にて示したように、注水ボトル４０を高所に吊り下げて、ヘッド圧（高低差圧）を利用して注水するような場合において好適である。しかし、チューブポンプ等所定量の流量（毎時）を送出する送水装置を用いる場合は、コック１１ｂは必ずしも必要としない。
【図面の簡単な説明】
【００１７】
【図１】本発明による注水吸引装置の使用例を説明するための図である。
【図２】本発明による注水吸引装置の詳細図である。
【符号の説明】
【００１８】
１１…注水管、１１ａ…注水管先端、１２…吸引排水管、１２ａ…吸引管先端、１２ｂ…外気連通孔、２１…注水ホース、２２…吸引排水ホース、３０…注水・吸引排水装置、４０…注水ボトル。
【図１】
2005198696.tif 000003
【図２】
2005198696.tif 000004